(57)【要約】【課題】ユーザの好みに応じて音声ストリームの内容を能動的に変えられ，また音声ストリームから外部アクションのためのトリガを容易に取得できるようにするデジタル音声再生装置を提供する。【解決手段】動作指示タグを付加した音声ストリームＶＳＡを受信するデータ分離部２，分離された音声情報パケットＶＰＡを受信する音声復号部３および分離された付加情報パケットＡＩＰＡを受信する付加情報処理部４を備えるタグ付き音声復号部８と、音声復号部８より音声復号信号ＶＳを受信し，付加情報処理部４より音声加工制御信号ＶＭＣを受信して音声加工指示があったときは音声復号信号ＶＳを指示に従って加工して出力し，付加情報処理部４より音声加工制御信号ＶＭＣを受信せず音声加工指示がないときは音声復号信号ＶＳをそのまま出力する音声加工部５とを備えるデジタル音声再生装置１。【選択図】図１
2007049239.tif 000002
【特許請求の範囲】
【請求項１】
動作指示タグを付加した音声ストリームを受信するデータ分離部，分離された音声パケットを受信する音声復号部および分離された付加情報パケットを受信する付加情報処理部を備えるタグ付き音声復号部と、
前記音声復号部より音声復号信号を受信し，前記付加情報処理部より音声加工制御信号を受信して音声加工指示があったときは前記音声復号信号を指示に従って加工して出力し，前記付加情報処理部より音声加工制御信号を受信せず音声加工指示がないときは前記音声復号信号をそのまま出力する音声加工部
とを備えることを特徴とするデジタル音声再生装置。
【請求項２】
処理条件の指定信号を受信する処理条件管理部と、
該処理条件管理部から前記指定信号を受信し，記憶する処理条件記憶部
とを更に備えることを特徴とする請求項１記載のデジタル音声再生装置。
【請求項３】
隠蔽条件の指定信号を受信する隠蔽条件管理部と、
前記隠蔽条件管理部から前記指定信号を受信し，記憶する隠蔽条件記憶部
とを更に備え、前記音声加工部は、前記音声復号信号を受信し，音声出力信号を出力する音声セレクタおよび前記音声加工信号を受信し，発振音を生成する発振音生成部を備えることを特徴とする請求項１記載のデジタル音声再生装置。
【請求項４】
吹き替え条件の指定信号を受信する吹き替え条件管理部と、
前記吹き替え条件管理部から前記指定信号を受信し，記憶する吹き替え条件記憶部
とを更に備え、前記音声加工部は、前記音声復号信号を受信し，音声出力信号を出力する音声セレクタおよび前記音声加工信号を受信し，吹き替え音を生成する吹き替え制御部を備えることを特徴とする請求項１記載のデジタル音声再生装置。
【請求項５】
動作指示タグを付加した音声ストリームを受信するデータ分離部，分離された音声パケットを受信する音声復号部および分離された付加情報パケットを受信する付加情報処理部を備えるタグ付き音声復号部と、  検索条件の指定信号を受信する検索条件管理部と、
該検索条件管理部から前記指定信号を受信し，記憶する検索条件記憶部
とを備えることを特徴とするデジタル音声再生装置。
【発明の詳細な説明】
【技術分野】
【０００１】
本発明は、デジタル音声再生装置に関し、特にデジタル音声ストリームの加工および再生に特徴を有し、動作指示タグによる音声吹き替えが可能なデジタル音声再生装置に関する。
【背景技術】
【０００２】
音声ストリームや動画ストリーム中に付加情報を埋め込む複数の方法が既に実施されている。従来、付加情報として埋め込まれていたものには、演目・曲名、作曲者・作詞者、指揮者・奏者・歌手、場面の要約、歌詞・字幕用の文章、録音環境などがある。ユーザはこれらの付加情報を用いて、例えば、ベートーベンの作曲した曲のみを集めたり、画面に歌詞を表示させたりすることが可能である。また、録音環境の情報を埋め込んで再生時の音響設定のヒントにすることも提案されている（例えば、非特許文献１及び非特許文献２参照。）。
【０００３】
しかしながら、従来技術には与えられた音声ストリームに対して受動的にならざるを得ないという問題点が存在する。例えば、配信された音声中にユーザに不快感を与える表現や、子供に聞かせたくない表現が含まれていても、それを事前に聞かないようにすることはできない。そのような音声が配信されることが予想される場合には、ユーザの手によってその都度、チャンネルを変えるか、装置の電源を切る必要がある。更に、アニメーションのキャラクター名を、自分の子供の名前に置き換えて、セリフをしゃべらせるようなユーザが事前に用意した音声を利用した音声置き換えサービスを提供することもできず、ユーザの好みに応じて内容を能動的に変えることもできない。
【０００４】
また、例えば音声ストリーム内の専門用語の出現をトリガとして、用語の意味を自動的に画面に表示する処理についても、単純には実現できない。このように音声ストリーム内の情報をトリガとして、なんらかの処理を実行させるためには、従来の音声ストリームでは音声認識などの解析処理を行うなど、高度で複雑な処理を実行する必要があり、音声ストリームから容易に外部アクションのためのトリガを取得することができない。
【非特許文献１】ネイル・デイ編集、“ＭＰＥＧ−７応用”、インターナショナル・オーガナイゼーション・フォー・スタンダーダイゼーション，オーガナイゼーション・インターナショナル・ノーマライゼーション，ムービング・ピクチャーズ・アンド・オーディオ、ISO/IEC JTC1/SC29/WG11 N4676インターネット＜ttp://www.chiariglione.org/mpeg/working_documents.htm＞
【非特許文献２】ジョエルグ・ビッツアー、ジュエルゲン・ヘッレ編集、“オーディオグループ”、インターナショナル・オーガナイゼーション・フォー・スタンダーダイゼーション、オーガナイゼーション・インターナショナル・ノーマライゼーション、コーディング・オブ・ムービングピクチャーズ・アンド・オーディオ、ISO/IEC JTC1/SC29/WG11 N5212インターネット＜http://www.chiariglione.org/mpeg/working_documents.htm＞
【発明の開示】
【発明が解決しようとする課題】
【０００５】
本発明の目的は、ユーザの好みに応じて音声ストリームの内容を能動的に変えられ，また音声ストリームから外部アクションのためのトリガを容易に取得できるようにするデジタル音声再生装置を提供することにある。
【課題を解決するための手段】
【０００６】
本発明の一態様によれば、（イ）動作指示タグを付加した音声ストリームを受信するデータ分離部，分離された音声パケットを受信する音声復号部および分離された付加情報パケットを受信する付加情報処理部を備えるタグ付き音声復号部と、（ロ）音声復号部より音声復号信号を受信し，付加情報処理部より音声加工制御信号を受信して音声加工指示があったときは音声復号信号を指示に従って加工して出力し，付加情報処理部より音声加工制御信号を受信せず音声加工指示がないときは音声復号信号をそのまま出力する音声加工部とを備えるデジタル音声再生装置が提供される。
【０００７】
本発明の他の態様によれば、（イ）動作指示タグを付加した音声ストリームを受信するデータ分離部２，分離された音声パケットを受信する音声復号部３および分離された付加情報パケットを受信する付加情報処理部を備えるタグ付き音声復号部と、（ロ）検索条件の指定信号を受信する検索条件管理部と、（ハ）検索条件管理部から指定信号を受信し，記憶する検索条件記憶部とを備えるデジタル音声再生装置が提供される。
【発明の効果】
【０００８】
本発明のデジタル音声再生装置によれば、ユーザの好みに応じて音声ストリームの内容を能動的に変えることができ、また音声ストリームから外部アクションのためのトリガを容易に取得することができる。
【発明を実施するための最良の形態】
【０００９】
次に、図面を参照して、本発明の実施の形態を説明する。以下の図面の記載において、同一または類似の部分には同一または類似の符号を付している。ただし、図面は模式的なものであり、各ブロックの形式および平面寸法などは現実のものとは異なることに留意すべきである。また、図面相互間においても互いの寸法の関係や比率が異なる部分が含まれていることはもちろんである。
【００１０】
また、以下に示す実施の形態は、この発明の技術的思想を具体化するための装置や方法を例示するものであって、この発明の技術的思想は、各ブロックの構成部品の配置などを下記のものに特定するものでない。この発明の技術的思想は、特許請求の範囲において、種々の変更を加えることができる。
【００１１】
[第１の実施の形態]
本発明の第１の実施の形態に係るデジタル音声再生装置１は、図１に示すように、動作指示タグを付加した音声ストリームＶＳＡを受信するデータ分離部２，分離された音声情報パケットＶＰＡを受信する音声復号部３および分離された付加情報パケットＡＩＰＡを受信する付加情報処理部４を備えるタグ付き音声復号部８と、音声復号部８より音声復号信号ＶＳを受信し，付加情報処理部４より音声加工制御信号ＶＭＣを受信して音声加工指示があったときは音声復号信号ＶＳを指示に従って加工して出力し，付加情報処理部４より音声加工制御信号ＶＭＣを受信せず音声加工指示がないときは音声復号信号ＶＳをそのまま出力する音声加工部５とを備える。
【００１２】
或いは又、本発明の第１の実施の形態に係るデジタル音声再生装置１は、図１に示すように、処理条件の指定信号ＰＳＡを受信する処理条件管理部６と、処理条件管理部６から指定信号ＰＳＡを受信し，記憶する処理条件記憶部７を更に備えていても良い。
【００１３】
或いは又、本発明の第１の実施の形態に係るデジタル音声再生装置１において、付加情報処理部４は、図１に示すように、付加情報パケットＡＩＰＡを処理し、動作指示タグの持つ属性が処理条件記憶部７に記録された処理条件の指定信号ＰＳＡに合致した場合は、動作指示タグの属性や指定信号ＰＳＡに従って、音声加工部５に音声加工制御信号ＶＭＣを出力する。
【００１４】
付加情報処理部４より送信される音声加工制御信号ＶＭＣは、外部処理装置９にも送信される。
【００１５】
本実施の形態に入力されるデジタル音声ストリームＶＳＡには、図２に示すように、開始時刻および終了時刻を特定可能な情報，属性１，属性２，…のような各種の属性を有する付加情報ＩＤ（動作指示タグ）を埋め込む。尚、本発明の第１の実施の形態に係るデジタル音声再生装置において、図２は一例であり、各属性の出現順はこの例に限られるものではないことは明らかである。 
音声ストリームＶＳＡは、図３に示すように、音声パケット１０Ａと、付加情報パケット（動作指示タグ）１０Ｂと、動作指示の対象となる表現を含んだ音声パケット列１０Ｃと、音声・付加情報以外のパケット１０Ｄを備える。動作指示タグは、図３に示すように、音声ストリームＶＳＡに埋め込まれる。図３では、音声パケット１０Ａの間に付加情報パケット（動作指示タグ）１０Ｂを挿入する例を示したが、電子すかし技術を用いるなど、他の方法によって付加情報を埋め込むことも可能である。
【００１６】
本発明の第１の実施の形態に係るデジタル音声再生装置１においては、処理条件の指定信号ＰＳＡで表される，ユーザがあらかじめ指定した処理条件と、音声ストリームＶＳＡに埋め込まれた付加情報パケット（動作指示タグ）ＡＩＰＡとの照合結果に基づいて、音声ストリームＶＳＡ中の音声を動作指示タグの属性およびユーザの指定した処理条件に従って加工し，出力する。
【００１７】
データ分離部２は、入力された音声ストリームＶＳＡを音声情報パケットＶＰＡと付加情報パケットＡＩＰＡに分離し、それぞれ音声復号部３と付加情報処理部４に転送する。
【００１８】
音声復号部３は、分離後の音声情報パケットＶＰＡを音声復号信号ＶＳに復号化し、音声加工部５に転送する。 
音声加工部５は、付加情報処理部４から音声加工指示があったとき、音声復号部３から受信した音声復号信号ＶＳを、指示に従って加工し、音声出力信号ＶＯＡとして出力する。音声加工指示がないときは、音声復号部３から受信した音声復号信号ＶＳをそのまま音声出力信号ＶＯＡとして出力する。 
付加情報処理部４は、分離後の付加情報パケットＡＩＰＡを処理し、動作指示タグの持つ属性が処理条件記憶部７に記録された処理条件に合致した場合は、タグの属性や処理条件に従って、音声加工部５もしくは外部処理装置９に動作指示タグの属性情報によって規定された動作（たとえば音声加工など）を実行するための音声加工制御信号ＶＭＣを出力する。
【００１９】
処理条件管理部６は、ユーザに現在、処理条件記録部７に記録されている動作指示タグに対する処理の条件を提示し、またはユーザから指定された条件を表す指定信号ＰＳＡを処理条件記憶部７に記録する。
【００２０】
処理条件記憶部７は、ユーザが指定した単数または複数の条件を保持する。
【００２１】
外部処理装置９は、付加情報処理部４より出力された動作指示の入力および処理が可能な装置であり、例えば、「音声中に現れた難解な語句などの意味を、ユーザの知識レベルや興味分野に応じて検索し、画面に表示する」などの処理を実現する装置である。この例の場合、付加情報処理部４より出力されるのは語句情報となり、対応する処理は語句情報を入力として検索および画面表示する処理となる。
【００２２】
（データ分離部２の動作）
本発明の第１の実施の形態に係るデジタル音声再生装置におけるデータ分離部２の処理の流れは、図４に示すような動作フローチャート図に表される。
【００２３】
（Ａ−１）まず、ステップＳ１において、音声ストリームＶＳＡが入力される。
【００２４】
（Ａ−２）次に、ステップＳ２において、パケットのＩＤを抽出する。
【００２５】
（Ａ−３）次に、ステップＳ３において、パケットは音声データか否かを判断する。
【００２６】
（Ａ−４）次に、ステップＳ３において、ＹＥＳであるならば、ステップＳ４に移行し、パケットを音声復号部３に出力する。
【００２７】
（Ａ−５）次に、ステップＳ３において、ＮＯであるならば、ステップＳ５に移行し、パケットは付加情報か否かを判断する。
【００２８】
（Ａ−６）次に、ステップＳ５において、ＹＥＳであるならば、ステップＳ６に移行し、パケットを付加情報処理部４に出力する。
【００２９】
（Ａ−７）次に、ステップＳ５において、ＮＯであるならば、ステップＳ７に移行し、パケットを破棄する。
【００３０】
（Ａ−８）次に、ステップＳ４，Ｓ６およびＳ７に引続いて、ステップＳ８に移行し、ストリームを終了するか否かを判断する。
【００３１】
（Ａ−９）次に、ステップＳ８において、ＮＯであるならば、ステップＳ２に戻る。
【００３２】
（Ａ−１０）次に、ステップＳ８において、ＹＥＳであるならば、ステップＳ９に移行し、終了する。
【００３３】
（付加情報処理部４の動作）
本発明の第１の実施の形態に係るデジタル音声再生装置１における付加情報処理部４の処理の流れは、図５に示すような動作フローチャート図に表される。
【００３４】
（Ｂ−１）まず、ステップＳ１０において、付加情報パケットＡＩＰＡが入力される。
【００３５】
（Ｂ−２）次に、ステップＳ１１において、動作指示タグの属性がユーザの指示に適合するか否かを判断する。
【００３６】
（Ｂ−３）次に、ステップＳ１１において、ＹＥＳであるならば、ステップＳ１２に移行し、音声加工部５および外部処理装置９に指示を出力する。
【００３７】
（Ｂ−４）次に、ステップＳ１１において、ＮＯであるならば、ステップＳ１３に移行し、終了する。
【００３８】
（Ｂ−５）また、ステップＳ１２における処理の後、ステップＳ１３に移行し、終了する。
【００３９】
本発明の第１の実施の形態に係るデジタル音声再生装置によれば、ユーザの好みに応じて音声ストリームの内容を能動的に変えることができ、また音声ストリームから外部アクションのためのトリガを容易に取得することができる。
【００４０】
[第２の実施の形態]
本発明の第２の実施の形態に係るデジタル音声再生装置１１は、図６に示すように、デジタル放送中の付加情報を含む音声ストリームＶＳＤを受信するデータ分離部２，分離された音声情報パケットＶＰＡを受信する音声復号部３および分離された付加情報パケットＡＩＰＡを受信する付加情報処理部１２を備えるタグ付き音声復号部８と、音声復号部８より音声復号信号ＶＳを受信し，付加情報処理部１２より音声加工制御信号ＶＭＣを受信して音声加工指示があったときは音声復号信号ＶＳを指示に従って加工して出力し，付加情報処理部１２より音声加工制御信号ＶＭＣを受信せず音声加工指示がないときは音声復号信号ＶＳをそのまま出力する音声加工部５とを備える。
【００４１】
或いはまた、本発明の第２の実施の形態に係るデジタル音声再生装置１１は、図６に示すように、隠蔽条件の指定信号ＰＳＢを受信する隠蔽条件管理部１５と、隠蔽条件管理部１５から指定信号ＰＳＢを受信し，記憶する隠蔽条件記憶部１６とを備えていても良い。
【００４２】
或いはまた、本発明の第２の実施の形態に係るデジタル音声再生装置１１において、音声加工部５は、図６に示すように、音声復号信号ＶＳを受信し，音声出力信号ＶＯＤを出力する音声セレクタ１４および音声加工制御信号ＶＭＣを受信し，発振音を生成する発振音生成部１３を備える。
【００４３】
本発明の第２の実施の形態に係るデジタル音声再生装置１１は、図６に示すように、図１における音声加工部５を発振音生成部１３と音声セレクタ１４によって構成したものである。
【００４４】
本発明の第２の実施の形態に係るデジタル音声再生装置１１に入力されるデジタル音声ストリームＶＳＤには、図７に示すように、開始時刻および終了時刻を特定する情報「start」，「duration」，属性１「category」，属性２「type」，属性３「level」，…のような各種の属性を有する付加情報ＩＤ「dubbing」を埋め込む。尚、本発明の第２の実施の形態に係るデジタル音声再生装置において、図７は一例であり、各属性の出現順はこの例に限られるものではないことは明らかである。
【００４５】
本発明の第２の実施の形態に係るデジタル音声再生装置１１においては、デジタル放送中の音声ストリームＶＳＤには、図７に示すような動作指示タグが、音声内で使われている表現に応じて吹き替えの対象となる表現に先立って（例えば１００ミリ秒前）埋め込まれている。
【００４６】
図７において、「start="+00:13:26.00"」 は音声ストリームＶＳＤの先頭から１３分２６秒後から吹き替えを開始することを表し、「duration="00:00:03.20"」 は吹き替えが３．２秒続くことを示す。この動作指示タグは、隠蔽対象となる表現の種類を表す属性 「category」の属性値として不快な表現であることを示す 「aversive」という値を有する。「type」には性的表現であることを示す「sexual」、差別的表現であることを示す 「discriminative」といった不快の種類を示す値が入る。「level」には不快の程度を客観的な基準で数値化した値が入る。
【００４７】
データ分離部２は、入力された音声ストリームＶＳＤを音声情報パケットＶＰＡと付加情報（動作指示タグ）パケットＡＩＰＡに分離し、それぞれを音声復号部３、付加情報処理部１２に送信する。本発明の第２の実施の形態に係るデジタル音声再生装置１１におけるデータ分離部２の処理の流れは、図４に示すような動作フローチャート図に表される。
【００４８】
音声復号部３は、データ分離部２から受信した音声情報パケットＶＰＡを復号化し、音声セレクタ１４に渡す。
【００４９】
付加情報処理部１２は、データ分離部２から受信した付加情報パケットＡＩＰＡを解析し、動作指示タグの属性が隠蔽条件記憶部１６内の条件に適合したとき、発振音生成部１３に発振音出力の指示を出す。指示にはタグ中の「start」および「duration」の値を含む。 
（付加情報処理部１２の動作）
本発明の第２の実施の形態に係るデジタル音声再生装置における付加情報処理部１２の処理の流れは、図８に示すような動作フローチャート図に表される。
【００５０】
（Ｃ−１）まず、ステップＳ２０において、付加情報パケットＡＩＰＡが入力される。
【００５１】
（Ｃ−２）次に、ステップＳ２１において、動作指示タグの属性「category」が「aversive」か否かを判断する。
【００５２】
（Ｃ−３）次に、ステップＳ２１において、ＮＯであるならば、ステップＳ２５に移行し、終了する。
【００５３】
（Ｃ−４）次に、ステップＳ２１において、ＹＥＳであるならば、ステップＳ２２に移行し、動作指示タグの属性「type」が処理条件に一致するか否かを判断する。
【００５４】
（Ｃ−５）次に、ステップＳ２２において、ＮＯであるならば、ステップＳ２５に移行し、終了する。
【００５５】
（Ｃ−６）次に、ステップＳ２２において、ＹＥＳであるならば、ステップＳ２３に移行し、動作指示タグの属性「level」が条件以上か否かを判断する。
【００５６】
（Ｃ−７）次に、ステップＳ２３において、ＮＯであるならば、ステップＳ２５に移行し、終了する。
【００５７】
（Ｃ−８）次に、ステップＳ２３において、ＹＥＳであるならば、ステップＳ２４に移行し、発振音生成部１３に属性「start」および属性「duration」を出力する。
【００５８】
（Ｃ−９）次に、ステップＳ２４における処理の後、ステップＳ２５に移行し、終了する。
【００５９】
発振音生成部１３は、付加情報処理部１２から発振音出力の指示を受け取ると、指示中の「start」および「duration」の値によって指定された期間の間、音声セレクタ１４に発振音を出力する。
【００６０】
音声セレクタ１４は、発振音生成部１３からの発振音の入力がある場合には、入力された発振音を音声出力信号ＶＯＤとして出力し、それ以外の場合には音声復号部３から入力された音声復号信号ＶＳを出力する。
【００６１】
（音声セレクタ１４の動作）
本発明の第２の実施の形態に係るデジタル音声再生装置１１における音声セレクタ１４の処理の流れは、図９に示すような動作フローチャート図に表される。
【００６２】
（Ｄ−１）まず、ステップＳ３０において、スタートする。
【００６３】
（Ｄ−２）次に、ステップＳ３１において、発振音生成部１３から入力があるか否かを判断する。
【００６４】
（Ｄ−３）次に、ステップＳ３１において、ＹＥＳであるならば、ステップＳ３２に移行し、発振音生成部１３から入力された発振音を出力する。
【００６５】
（Ｄ−４）次に、ステップＳ３１において、ＮＯであるならば、ステップＳ３３に移行し、音声復号部３から入力された音声復号信号ＶＳを出力する。
【００６６】
（Ｄ−５）次に、ステップＳ３２およびステップＳ３３における処理の後、ステップＳ３４に移行し、終了する。
【００６７】
隠蔽条件管理部１５は、ユーザに現在、隠蔽条件記憶部１６に記憶されている隠蔽処理の条件を提示し、またはユーザから指定された隠蔽条件の指定信号ＰＳＢを隠蔽条件記憶部１６に記憶する。
【００６８】
隠蔽条件記憶部１６は、隠蔽処理の条件として、隠蔽する属性「type」および属性「level」の組み合わせを複数保持する。
【００６９】
いま、隠蔽条件記憶部１６には「“typeがdiscriminative” “levelが４以上”」、「“typeがsexual” “levelが1以上”」という条件が記録されているとする。図７で示される動作指示タグは「“typeがsexual” “levelが１以上”」の条件に合致している。従ってこの場合は、「start」および 「duration」によって指示された、ストリーム開始後１３分２６秒から３．２秒間の音声は発振音で置き換えられ、隠蔽される。
【００７０】
また、[type]に「discriminative」、「level」に 「２」という値を持つタグが付加されているとすると、ユーザが指示したいずれの条件にも合致しないため、タグで指定された時間の間の音声はそのまま出力される。
【００７１】
したがって、ユーザは自分が不快に感じる表現を聞くことなく、放送を視聴することが可能になる。
【００７２】
また、本発明の第２の実施の形態に係るデジタル音声再生装置１１によれば、ユーザの好みに応じて音声ストリームの内容を能動的に変えることができ、また音声ストリームから外部アクションのためのトリガを容易に取得することができる。
【００７３】
また、本発明の第２の実施の形態に係るデジタル音声再生装置１１によれば、ユーザの嗜好などに応じてデジタル放送中の不快な音声表現を発振音で隠蔽することができる。
【００７４】
[第３の実施の形態]
本発明の第３の実施の形態に係るデジタル音声再生装置１１は、図１０に示すように、動画中の付加情報を含む音声ストリームＶＳＭを受信するデータ分離部２，分離された音声情報パケットＶＰＡを受信する音声復号部３および分離された付加情報パケットＡＩＰＡを受信する付加情報処理部２０を備えるタグ付き音声復号部８と、音声復号部８より音声復号信号ＶＳを受信し，付加情報処理部２０より音声加工制御信号ＶＭＣを受信して音声加工指示があったときは音声復号信号ＶＳを指示に従って加工して出力し，付加情報処理部２０より音声加工制御信号ＶＭＣを受信せず音声加工指示がないときは音声復号信号ＶＳをそのまま出力する音声加工部５とを備える。
【００７５】
或いはまた、本発明の第３の実施の形態に係るデジタル音声再生装置１１は、図１０に示すように、吹き替え条件の指定信号ＤＵＳを受信する吹き替え条件管理部２３と、吹き替え条件管理部２３から指定信号ＤＵＳを受信し，記憶する吹き替え条件記憶部２４とを備えていても良い。
【００７６】
或いはまた、本発明の第３の実施の形態に係るデジタル音声再生装置１１において、音声加工部５は、図１０に示すように、音声復号信号ＶＳを受信し，音声出力信号ＶＯＭを出力する音声セレクタ２２および音声加工制御信号ＶＭＣを受信し，吹き替え音を生成する吹き替え制御部２１を備える。
【００７７】
更にまた、本発明の第３の実施の形態に係るデジタル音声再生装置１１において、図１０に示すように、吹き替え条件管理部２３は、外部の吹き替え音声管理部２８に接続され，吹き替え用音声信号ＤＵＶを送受信する。
【００７８】
更にまた、本発明の第３の実施の形態に係るデジタル音声再生装置１１において、図１０に示すように、吹き替え音声管理部２８は、外部の吹き替え音声格納部２９に接続され、更に、吹き替え音声格納部２９は、吹き替え制御部２１に接続されている。
【００７９】
本発明の第３の実施の形態に係るデジタル音声再生装置１１は、図１０に示すように、図１における音声加工部５を音声セレクタ１４と吹き替え制御部２１によって構成し、吹き替え音声管理部２８と吹き替え音声格納部２９を付加したものである。
【００８０】
本発明の第３の実施の形態に係るデジタル音声再生装置１１において、動画中の音声ストリームＶＳＭには、図１１に示すような動作指示タグが、音声内で使われている表現に応じて吹き替えの対象となる表現に先立って（例えば５００ミリ秒前）埋め込まれている。
【００８１】
図１１において、「start="+00:23:35.00"」、「duration="00:00:02.85"」は、本発明の第１の実施の形態における図７と同様に、吹き替え対象となる表現の開始時間および持続時間を表す。この動作指示タグは、表現の種類を示す属性 「category」の値として登場人物のせりふなどを示す「speech」を有する。せりふの内容を示す属性「content」には人物の名前であることを示す「name」という値が入る。属性「who」にはせりふ中の人物名が入り、「speaker」 にはそのせりふを言っている人物の名前が入る。
【００８２】
付加情報処理部２０は、データ分離部２から渡された付加情報パケットＡＩＰＡを解析し、動作指示タグの属性が吹き替え条件記憶部２４内の条件に適合したとき、吹き替え制御部２１に音声吹き替えの指示を出す。指示にはタグ中の「start」、「duration」および「speaker」の値を含む。また、吹き替え条件中で指示された吹き替えに用いる音声のＩＤを含む。
【００８３】
（付加情報処理部２０の動作）
本発明の第３の実施の形態に係るデジタル音声再生装置における付加情報処理部２０の処理の流れは、図１２に示すような動作フローチャート図に表される。
【００８４】
（Ｅ−１）まず、ステップＳ４０において、スタートする。
【００８５】
（Ｅ−２）次に、ステップＳ４１において、動作指示タグの属性「category」が「speech」か否かを判断する。
【００８６】
（Ｅ−３）次に、ステップＳ４１において、ＮＯであるならば、ステップＳ４５に移行し、終了する。
【００８７】
（Ｅ−４）次に、ステップＳ４１において、ＹＥＳであるならば、ステップＳ４２に移行し、動作指示タグの属性「content」が「name」に一致するか否かを判断する。
【００８８】
（Ｅ−５）次に、ステップＳ４２において、ＮＯであるならば、ステップＳ４５に移行し、終了する。
【００８９】
（Ｅ−６）次に、ステップＳ４２において、ＹＥＳであるならば、ステップＳ４３に移行し、動作指示タグの属性「who」が条件に一致するか否かを判断する。
【００９０】
（Ｅ−７）次に、ステップＳ４３において、ＮＯであるならば、ステップＳ４５に移行し、終了する。
【００９１】
（Ｅ−８）次に、ステップＳ４３において、ＹＥＳであるならば、ステップＳ４４に移行し、吹き替え制御部２１に属性「start」，属性「duration」および条件中の音声ＩＤを出力する。
【００９２】
（Ｅ−７）次に、ステップＳ４４における処理の後、ステップＳ４５に移行し、終了する。
【００９３】
吹き替え制御部２１は、付加情報処理部２０から吹き替えの指示を受け取ると、指示されたＩＤを持つ吹き替え用音声を吹き替え音声格納部２９から読み出し、「duration」の値に適合するように長さ、音程を調整した上で属性「start」と属性「duration」で指示された間、音声を音声セレクタ２２に出力する。但し、読み込みに失敗した場合は、音声セレクタ２２には何も出力されない。
【００９４】
（吹き替え制御部２１の動作）
本発明の第３の実施の形態に係るデジタル音声再生装置１１における吹き替え制御部２１の処理の流れは、図１３に示すような動作フローチャート図に表される。
【００９５】
（Ｆ−１）まず、ステップＳ５０において、スタートする。
【００９６】
（Ｆ−２）次に、ステップＳ５１において、吹き替え音声格納部２９から指示されたＩＤの吹き替え用音声を読み込む。
【００９７】
（Ｆ−３）次に、ステップＳ５２において、吹き替え用音声の読み込みが成功か否かを判断する。
【００９８】
（Ｆ−４）次に、ステップＳ５２において、ＮＯであるならば、ステップＳ５５に移行し、終了する。
【００９９】
（Ｆ−５）次に、ステップＳ５２において、ＹＥＳであるならば、ステップＳ５３に移行し、属性「duration」に合わせて音声の長さ、音程を調整する。
【０１００】
（Ｆ−６）次に、ステップＳ５４において、音声を音声セレクタ２２に出力する。
【０１０１】
（Ｆ−７）次に、ステップＳ５４における処理の後、ステップＳ５５に移行し、終了する。
【０１０２】
吹き替え条件管理部２３は、ユーザに現在、吹き替え条件記憶部２４に記録されている吹き替え処理の条件を提示し、またはユーザから指定された指定信号ＤＵＳを吹き替え条件記憶部２４に記憶する。条件の提示・記録の際に、音声のＩＤと音声との対応を得るために吹き替え音声管理部２８と通信を行う。
【０１０３】
吹き替え音声管理部２８は、ユーザが吹き替え用音声の入力・削除などを行うためのインタフェースを提供する。入力された音声にはユーザが入力したコメントと、吹き替え音声管理部２８が生成したＩＤが属性として与えられ、吹き替え音声格納部２９に格納される。また、ユーザが条件の管理を行うときには吹き替え条件管理部２３に各音声のＩＤおよびコメントを提供する。
【０１０４】
吹き替え音声格納部２９は、ユーザが入力した吹き替え用音声を格納する。いま、吹き替え音声格納部２９にはユーザが入力した音声（たとえば子供の名前）がＩＤ「Ｖ０４０９０１０Ａ」とコメント「子供の名前」とともに記録されており、また吹き替え条件記憶部２４には条件「“who”が“キャラクターＡ”、吹き替え音声ＩＤ“Ｖ０４０９０１０Ａ”」が記憶されているとする。動作指示タグが埋め込まれた番組では番組中のキャラクターＡの名前はすべてＩＤ「Ｖ０４０９０１０Ａ」の音声、すなわちユーザの子供の名前に置き換えられる。これにより、あたかもユーザの子供が番組中に登場しているような感覚を得ることができる。
【０１０５】
本発明の第３の実施の形態に係るデジタル音声再生装置１１によれば、ユーザの好みに応じて音声ストリームの内容を能動的に変えることができ、また音声ストリームから外部アクションのためのトリガを容易に取得することができる。
【０１０６】
また、本発明の第３の実施の形態に係るデジタル音声再生装置１１によれば、デジタル放送中の特定の音声表現をユーザの用意した音声で置き換えることができる。
【０１０７】
[第４の実施の形態]
本発明の第４の実施の形態に係るデジタル音声再生装置３０は、図１４に示すように、動作指示タグを付加した音声ストリームＶＳＴを受信するデータ分離部２，分離された音声情報パケットＶＰＡを受信し音声出力信号ＶＯＴを出力する音声復号部３および分離された付加情報パケットＡＩＰＡを受信する付加情報処理部３１を備えるタグ付き音声復号部８と、検索条件の指定信号ＰＳＲを受信する検索条件管理部３２と、検索条件管理部３２から指定信号ＰＳＲを受信し，記憶する検索条件記憶部３３とを備える。
【０１０８】
また、本発明の第４の実施の形態に係るデジタル音声再生装置３０において、付加情報処理部３１より送信される音声加工制御信号ＶＭＣは、図１４に示すように、外部処理装置３４に送信される。
【０１０９】
また、本発明の第４の実施の形態に係るデジタル音声再生装置３０において、外部処理装置３４は、図１４に示すように、インターネット３９，ローカルデータベース４０に接続された語句検索装置３６と、検索履歴記憶部３７を備える。
【０１１０】
本発明の第４の実施の形態に係るデジタル音声再生装置３０においては、図１における音声加工部５を持たないが、外部処理装置３４内に語句検索装置３６と検索履歴記憶部を有する。
【０１１１】
音声ストリームＶＳＴ中には音声中の難解な語句に先立ち（たとえば１秒前）、図１５に示すような動作指示タグが埋め込まれている。
【０１１２】
動作指示タグには次の各属性が含まれる。即ち、検索対象となる語句の開始時間を表す「start」、語句の終了時間を表す「end」、語句の分野・分類を表す「category」、語句のより細かい分類を表す「subcategory」、対象となる語句を表す「term」、語句の読みを表す「reading」、語句の難解さを表す指標を表す「difficulty」が含まれている。
【０１１３】
データ分離部２は、入力された音声ストリームＶＳＴを音声情報パケットＶＰＡと付加情報（動作指示タグ）パケットＡＩＰＡに分け、それぞれを音声復号部３、付加情報処理部３１に渡す。本発明の第４の実施の形態に係るデジタル音声再生装置におけるデータ分離部２の処理の流れは、図４に示すような動作フローチャート図に表される。
【０１１４】
音声復号部３は、データ分離部２から渡された音声情報パケットＶＰＡを復号化し、音声出力信号ＶＯＴとして出力する。
【０１１５】
付加情報処理部３１は、データ分離部２から渡された付加情報パケットＡＩＰＡを解析し、動作指示タグの属性が検索条件記憶部３３内の条件に適合したとき、語句検索装置３６に検索の指示を出す。指示には動作指示タグ中の「category」、「subcategory」、「term」、「reading」、「difficulty」の各属性値が含まれる。
【０１１６】
（付加情報処理部３１の動作）
本発明の第４の実施の形態に係るデジタル音声再生装置における付加情報処理部３１の処理の流れは、図１６に示すような動作フローチャート図に表される。
【０１１７】
（Ｇ−１）まず、ステップＳ６０において、スタートする。
【０１１８】
（Ｇ−２）次に、ステップＳ６１において、動作指示タグの属性「category」および「subcategory」が条件に一致するか否かを判断する。
【０１１９】
（Ｇ−３）次に、ステップＳ６１において、ＹＥＳであるならば、ステップＳ６４に移行し、終了する。
【０１２０】
（Ｇ−４）次に、ステップＳ６１において、ＮＯであるならば、ステップＳ６２に移行し、動作指示タグの属性「difficulty」が条件以上か否かを判断する。
【０１２１】
（Ｇ−５）次に、ステップＳ６２において、ＮＯであるならば、ステップＳ６４に移行し、終了する。
【０１２２】
（Ｇ−６）次に、ステップＳ６２において、ＹＥＳであるならば、ステップＳ６３に移行し、語句検索装置３６に指示を出力する。
【０１２３】
（Ｇ−７）次に、ステップＳ６３における処理の後、ステップＳ６４に移行し、終了する。
【０１２４】
検索条件管理部３２は、ユーザに現在、検索条件記憶部３３に記憶されている検索条件を提示し、またはユーザから指定された指定信号ＰＳＲを検索条件記憶部３３に記録する。条件には検索しない「category」および「subcategory」と「difficulty」の組を指定する。
【０１２５】
語句検索装置３６は、付加情報処理部３１から検索の指示を受け取ると、インターネット３９もしくはローカルデータベース４０上の辞書から、検索の指示で与えられた語句の意味を検索する。必要ならば検索のヒントとして「category」、「subcategory」の値を用いる。検索された語句の意味は画面出力ＩＰＯよりユーザに提示されるか、検索履歴記憶部３７に記録され、ユーザが後から語句の意味を検索することを可能にする。
【０１２６】
例えば、もしユーザが半導体技術に詳しく「category="electronics"、subcategory="semiconductor"、difficulty="4" 未満の語句は検索しない」という条件を設定していれば、図１５のタグで示される語句 "MOS" は検索されない。しかし、「category="chemistry"、subcategory="organic"、term="polypeptide"、reading="ぽりぺぷちど"、difficulty="3"」という属性を持つタグに対しては語句「polypeptide」の意味を検索し、画面上に表示する。
【０１２７】
ユーザがすでに意味を知っている分野・難解さを条件として指定しておけば、音声中の知らない表現の意味を即座に知ることができ、しかもすでに知っている語句が表示され煩わされることがない。
【０１２８】
（語句検索装置３６の動作）
本発明の第４の実施の形態に係るデジタル音声再生装置３０における語句検索装置３６の処理の流れは、図１７に示すような動作フローチャート図に表される。
【０１２９】
（Ｈ−１）まず、ステップＳ７０において、スタートする。
【０１３０】
（Ｈ−２）次に、ステップＳ７１において、インターネット３９もしくはローカルデータベース４０から語句の意味を検索する。
【０１３１】
（Ｈ−３）次に、ステップＳ７２において、検索された意味を検索履歴記憶部３７に記憶する。
【０１３２】
（Ｈ−４）次に、ステップＳ７３において、検索された意味を画面に出力する。
【０１３３】
（Ｈ−５）次に、ステップＳ７２およびステップＳ７３における処理の後、ステップＳ７４に移行し、終了する。
【０１３４】
本発明の第４の実施の形態に係るデジタル音声再生装置３０によれば、ユーザの好みに応じて音声ストリームの内容を能動的に変えることができ、また音声ストリームから外部アクションのためのトリガを容易に取得することができる。
【０１３５】
また、本発明の第４の実施の形態に係るデジタル音声再生装置３０によれば、音声中の難解な語句や専門用語を自動的に検索することができる。
【０１３６】
[第５の実施の形態]
本発明の第５の実施の形態に係るデジタル音声再生装置５０は、図１８に示すように、付加情報を含む動画ストリームＩＶＳＭを受信する映像分離部４２と、映像分離部４２において分離された映像情報を復号して映像出力信号ＩＯＭを出力する映像復号部４３と、映像分離部４２において分離された音声情報を分離するデータ分離部２，データ分離部２において分離された音声情報パケットＶＰＡを受信する音声復号部３および分離された付加情報パケットＡＩＰＡを受信する付加情報処理部２０を備えるタグ付き音声復号部８と、音声復号部８より音声復号信号ＶＳを受信し，付加情報処理部２０より音声加工制御信号ＶＭＣを受信して音声加工指示があったときは音声復号信号ＶＳを指示に従って加工して出力し，付加情報処理部２０より音声加工制御信号ＶＭＣを受信せず音声加工指示がないときは音声復号信号ＶＳをそのまま出力する音声加工部５とを備える。
【０１３７】
或いはまた、本発明の第５の実施の形態に係るデジタル音声再生装置５０は、図１８に示すように、吹き替え条件の指定信号ＤＵＳを受信する吹き替え条件管理部２３と、吹き替え条件管理部２３から指定信号ＤＵＳを受信し，記憶する吹き替え条件記憶部２４とを備えていても良い。
【０１３８】
或いはまた、本発明の第５の実施の形態に係るデジタル音声再生装置５０において、音声加工部５は、図１８に示すように、音声復号信号ＶＳを受信し，音声出力信号ＶＯＭを出力する音声セレクタ２２および音声加工制御信号ＶＭＣを受信し，吹き替え音を生成する吹き替え制御部２１を備える。
【０１３９】
更にまた、本発明の第５の実施の形態に係るデジタル音声再生装置５０において、図１８に示すように、吹き替え条件管理部２３は、外部の吹き替え音声管理部２８に接続され，吹き替え用音声信号ＤＵＶを送受信する。
【０１４０】
更にまた、本発明の第５の実施の形態に係るデジタル音声再生装置５０において、図１８に示すように、吹き替え音声管理部２８は、外部の吹き替え音声格納部２９に接続され、更に、吹き替え音声格納部２９は、吹き替え制御部２１に接続されている。
【０１４１】
本発明の第５の実施の形態に係るデジタル音声再生装置５０は、図１８に示すように、図１０におけるデジタル音声再生装置１１に動画再生機能を持たせたものである。
【０１４２】
映像分離部４２は、入力された動画ストリームＩＶＳＭを映像データとそれ以外(音声データ、付加情報を含む)とにわけ、音声データおよび付加情報をデータ分離部２に出力する。
【０１４３】
映像復号部４３は、映像分離部４２から入力された映像データを復号化し、映像出力信号ＩＯＭとして出力する。
【０１４４】
本発明の第５の実施の形態に係るデジタル音声再生装置５０において、動画ストリームＩＶＳＭには、図１１に示した例と同様の動作指示タグが、音声内で使われている表現に応じて吹き替えの対象となる表現に先立って（例えば５００ミリ秒前）埋め込まれている。動作指示タグは、表現の種類を示す属性「category」の値として登場人物のせりふなどを示す「speech」を有する。せりふの内容を示す属性「content」には人物の名前であることを示す「name」という値が入る。属性「who」にはせりふ中の人物名が入り、「speaker」 にはそのせりふを言っている人物の名前が入る。
【０１４５】
付加情報処理部２０は、データ分離部２から渡された付加情報パケットＡＩＰＡを解析し、動作指示タグの属性が吹き替え条件記憶部２４内の条件に適合したとき、吹き替え制御部２１に音声吹き替えの指示を出す。指示にはタグ中の「start」、「duration」および「speaker」の値を含む。また、吹き替え条件中で指示された吹き替えに用いる音声のＩＤを含む。
【０１４６】
本発明の第５の実施の形態に係るデジタル音声再生装置５０における付加情報処理部２０の処理の流れは、図１２に示す動作フローチャートと同様であるため、説明は省略する。
【０１４７】
吹き替え制御部２１は、付加情報処理部２０から吹き替えの指示を受け取ると、指示されたＩＤを持つ吹き替え用音声を吹き替え音声格納部２９から読み出し、「duration」の値に適合するように長さ、音程を調整した上で属性「start」と属性「duration」で指示された間、音声を音声セレクタ２２に出力する。但し、読み込みに失敗した場合は、音声セレクタ２２には何も出力されない。
【０１４８】
本発明の第５の実施の形態に係るデジタル音声再生装置５０における吹き替え制御部２１の処理の流れは、図１３に示す動作フローチャートと同様であるため、説明は省略する。
【０１４９】
吹き替え条件管理部２３は、ユーザに現在、吹き替え条件記憶部２４に記録されている隠蔽処理の条件を提示し、またはユーザから指定された条件２５を吹き替え条件記憶部２４に記録する。条件の提示・記録の際に、音声のＩＤと音声との対応を得るために吹き替え音声管理部２８と通信を行う。
【０１５０】
吹き替え音声管理部２８は、ユーザが吹き替え用音声の入力・削除などを行うためのインタフェースを提供する。入力された音声にはユーザが入力したコメントと、吹き替え音声管理部２８が生成したＩＤが属性として与えられ、吹き替え音声格納部２９に格納される。また、ユーザが条件の管理を行うときには吹き替え条件管理部２３に各音声のＩＤおよびコメントを提供する。
【０１５１】
吹き替え音声格納部２９は、ユーザが入力した吹き替え用音声を格納する。いま、吹き替え音声格納部２９にはユーザが入力した音声（たとえば子供の名前）がＩＤ「Ｖ０４０９０１０Ａ」とコメント「子供の名前」とともに記録されており、また吹き替え条件記憶部２４には条件「“who”が“キャラクターＡ”、吹き替え音声ＩＤ“Ｖ０４０９０１０Ａ”」が記憶されているとする。動作指示タグが埋め込まれた番組では番組中のキャラクターＡの名前はすべてＩＤ「Ｖ０４０９０１０Ａ」の音声、すなわちユーザの子供の名前に置き換えられる。これにより、あたかもユーザの子供が番組中に登場しているような感覚を得ることができる。
【０１５２】
本発明の第５の実施の形態に係るデジタル音声再生装置５０によれば、ユーザの好みに応じて動画・音声ストリームの内容を能動的に変えることができ、また音声ストリームから外部アクションのためのトリガを容易に取得することができる。
【０１５３】
また、本発明の第５の実施の形態に係るデジタル音声再生装置５０によれば、動画・音声ストリーム中の特定の音声表現をユーザの用意した音声で置き換えることができる。
【０１５４】
[その他の実施の形態]
上記のように、本発明は第１乃至第５の実施の形態によって記載したが、この開示の一部をなす論述および図面はこの発明を限定するものであると理解すべきではない。この開示から当業者には様々な代替実施の形態、実施例および運用技術が明らかとなろう。
【０１５５】
このように、本発明はここでは記載していない様々な実施の形態などを含むことは勿論である。したがって、本発明の技術的範囲は上記の説明から妥当な特許請求の範囲に係る発明特定事項によってのみ定められるものである。
【図面の簡単な説明】
【０１５６】
【図１】本発明の第１の実施の形態に係るデジタル音声再生装置の模式的ブロック構成図。
【図２】本発明の第１の実施の形態に係るデジタル音声再生装置における動作指示タグの持つ属性を表現する図。
【図３】本発明の第１の実施の形態に係るデジタル音声再生装置における動作指示タグを埋め込んだ音声ストリームの模式的構成図。
【図４】本発明の第１の実施の形態に係るデジタル音声再生装置におけるデータ分離部の動作フローチャート図。
【図５】本発明の第１の実施の形態に係るデジタル音声再生装置における付加情報処理部の動作フローチャート図。
【図６】本発明の第２の実施の形態に係るデジタル音声再生装置の模式的ブロック構成図。
【図７】本発明の第２の実施の形態に係るデジタル音声再生装置における動作指示タグの持つ属性を表現する図。
【図８】本発明の第２の実施の形態に係るデジタル音声再生装置における付加情報処理部の動作フローチャート図。
【図９】本発明の第２の実施の形態に係るデジタル音声再生装置における音声セレクタの動作フローチャート図。
【図１０】本発明の第３の実施の形態に係るデジタル音声再生装置の模式的ブロック構成図。
【図１１】本発明の第３の実施の形態に係るデジタル音声再生装置における動作指示タグの持つ属性を表現する図。
【図１２】本発明の第３の実施の形態に係るデジタル音声再生装置における付加情報処理部の動作フローチャート図。
【図１３】本発明の第３の実施の形態に係るデジタル音声再生装置における吹き替え制御部の動作フローチャート図。
【図１４】本発明の第４の実施の形態に係るデジタル音声再生装置の模式的ブロック構成図。
【図１５】本発明の第４の実施の形態に係るデジタル音声再生装置における動作指示タグの持つ属性を表現する図。
【図１６】本発明の第４の実施の形態に係るデジタル音声再生装置における付加情報処理部の動作フローチャート図。
【図１７】本発明の第４の実施の形態に係るデジタル音声再生装置における語句検索装置の動作フローチャート図。
【図１８】本発明の第５の実施の形態に係るデジタル音声再生装置における模式的ブロック構成図。
【符号の説明】
【０１５７】
１，１１，３０，５０…デジタル音声再生装置
２…データ分離部
３…音声復号部
４，１２，２０，３１…付加情報処理部
５…音声加工部
６…処理条件管理部
７…処理条件記憶部
８…タグ付き音声復号部
９…外部処理装置
１０…音声ストリーム
１０Ａ…音声パケット
１０Ｂ…付加情報パケット（動作指示タグ）
１０Ｃ…動作指示の対象となる表現を含んだ音声パケット列
１０Ｄ…音声・付加情報以外のパケット
１３…発振音生成部
１４，２２…音声セレクタ
１５…隠蔽条件管理部
１６…隠蔽条件記憶部
２１…吹き替え制御部
２３…吹き替え条件管理部
２４…吹き替え条件記憶部
２８…吹き替え音声管理部
２９…吹き替え音声格納部
３２…検索条件管理部
３３…検索条件記憶部
３６…語句検索装置
３７…検索履歴記憶部
３９…インターネット
４０…ローカルデータベース
４２…映像分離部
４３…映像復号部
ＶＳ…音声復号信号
ＶＳＡ，ＶＳＤ，ＶＳＭ，ＶＳＴ…音声ストリーム
ＰＳＡ，ＰＳＢ，ＰＳＲ，ＤＵＳ…指定信号
ＶＭＣ…音声加工制御信号
ＶＯＡ，ＶＯＤ，ＶＯＭ，ＶＯＴ…音声出力信号
ＤＵＶ…吹き替え用音声信号
ＩＶＳＭ…動画ストリーム
ＩＯＭ…映像出力信号
Ｓ１〜Ｓ９，Ｓ１０〜Ｓ１３，Ｓ２０〜Ｓ２５，Ｓ３０〜Ｓ３４，Ｓ４０〜Ｓ４５，Ｓ５０〜Ｓ５５，Ｓ６０〜Ｓ６４，Ｓ７０〜Ｓ７４…ステップ
【図１】
2007049239.tif 000003
【図２】
2007049239.tif 000004
【図３】
2007049239.tif 000005
【図４】
2007049239.tif 000006
【図５】
2007049239.tif 000007
【図６】
2007049239.tif 000008
【図７】
2007049239.tif 000009
【図８】
2007049239.tif 000010
【図９】
2007049239.tif 000011
【図１０】
2007049239.tif 000012
【図１１】
2007049239.tif 000013
【図１２】
2007049239.tif 000014
【図１３】
2007049239.tif 000015
【図１４】
2007049239.tif 000016
【図１５】
2007049239.tif 000017
【図１６】
2007049239.tif 000018
【図１７】
2007049239.tif 000019
【図１８】
2007049239.tif 000020